(57)【要約】【課題】高電圧の出力に起因する危険状態を回避する。【解決手段】高電圧の試験用電圧Ｖ０を出力する高圧出力部２と、高圧出力部２による試験用電圧Ｖ０の出力状態を表示する表示部６とを備え、表示部６の故障状態を検出して故障検出信号Ｓｋを出力する故障検出部７と、故障検出信号Ｓｋが出力されたときに高圧出力部２に対して試験用電圧Ｖ０の出力を停止させる制御部９とを備えている。また、表示部６は、ＬＥＤを備えて構成され、故障検出部７は、ＬＥＤの断線状態および短絡状態の少なくとも一方を検出して故障検出信号Ｓｋを出力する。【選択図】図１
2008045909.tif 000002
【特許請求の範囲】
【請求項１】
高電圧を出力する高圧出力部と、前記高圧出力部による前記高電圧の出力状態を表示する表示部とを備えた電子機器において、
前記表示部の故障状態を検出して検出信号を出力する検出部と、前記検出信号が出力されたときに前記高圧出力部に対して前記高電圧の出力を停止させる制御部とを備えていることを特徴とする電子機器。
【請求項２】
前記表示部は、ＬＥＤを備えて構成され、前記検出部は、前記ＬＥＤの断線状態および短絡状態の少なくとも一方を検出して前記検出信号を出力することを特徴とする請求項１記載の電子機器。
【発明の詳細な説明】
【技術分野】
【０００１】
本発明は、高圧出力部と、高電圧の出力状態を表示する表示部とを備えた電子機器に関するものである。
【背景技術】
【０００２】
この種の電子機器として、特開平８−２０１４７１号公報に開示された耐電圧試験装置が知られている。この耐電圧試験装置は、高電圧の出力が可能に構成された交流電圧変換器および耐電圧トランスと、交流電圧変換器に対し昇降圧指令信号を出力することによって高電圧の出力制御を行う制御装置と、制御装置から昇降圧指令信号と同時に出力される制御信号に従って危険表示を行う危険表示灯とを備えている。この耐電圧試験装置では、制御装置から昇降圧指令信号が出力されている期間中において、危険表示灯が危険表示を行うため、高電圧が出力されている期間中では、周囲の者に対して危険を喚起する旨が報知される。
【特許文献１】特開平８−２０１４７１号公報（第３−５頁、第１，２図）
【発明の開示】
【発明が解決しようとする課題】
【０００３】
ところが、この耐電圧試験装置には、以下の問題点がある。すなわち、この耐電圧試験装置では、危険表示灯が故障をしたときには、当然に危険表示がされないこととなる。このため、その際には、高電圧が出力されているにも拘わらず、結果として、周囲の者に対してあたかも高電圧が出力されていないかのように報知することになる。したがって、この耐電圧試験装置には、危険表示灯が故障をしたときには、却って危険を招くおそれがあるという問題点が存在する。
【０００４】
本発明は、かかる課題に鑑みてなされたものであり、高電圧の出力に起因する危険状態を回避し得る電子機器を提供することを主目的とする。
【課題を解決するための手段】
【０００５】
上記目的を達成すべく請求項１記載の電子機器は、高電圧を出力する高圧出力部と、前記高圧出力部による前記高電圧の出力状態を表示する表示部とを備えた電子機器において、前記表示部の故障状態を検出して検出信号を出力する検出部と、前記検出信号が出力されたときに前記高圧出力部に対して前記高電圧の出力を停止させる制御部とを備えていることを特徴とする。なお、表示部の故障状態とは、表示部が危険表示を表示することができない状態を意味する。
【０００６】
請求項２記載の電子機器は、請求項１記載の電子機器において、前記表示部は、ＬＥＤを備えて構成され、前記検出部は、前記ＬＥＤの断線状態および短絡状態の少なくとも一方を検出して前記検出信号を出力することを特徴とする。
【発明の効果】
【０００７】
請求項１記載の電子機器によれば、検出部が、表示部の故障状態を検出して、その際に、検出信号を出力する。また、制御部が、検出部から検出信号が出力されたときに、高圧出力部に対して高電圧の出力を停止させる。このため、表示部が故障状態のときには、高電圧の出力が直ちに停止される。したがって、高圧出力部から高電圧が出力されているにも拘わらず、表示部による高電圧の出力状態が表示されないという危険な状況を回避することができる結果、高電圧の出力に起因する危険状態を確実に回避することができる。
【０００８】
請求項２記載の電子機器によれば、検出部が、表示部におけるＬＥＤの断線状態および短絡状態を例えばＬＥＤの両端電圧を監視して検出することにより、表示部を簡易に構成することができると共にその故障状態を確実かつ簡易に検出することができる。
【発明を実施するための最良の形態】
【０００９】
以下、本発明に係る電子機器の最良の形態について、添付図面を参照して説明する。
【００１０】
最初に、本発明に係る電子機器の一種である耐電圧試験器１の構成について、添付図面を参照して説明する。
【００１１】
この耐電圧試験器１は、図１に示すように、電圧印加用プローブＰ１，Ｐ２、高圧出力部２、電流検出部３、記憶部４、画像表示部５、表示部６、故障検出部７、操作部８および制御部９を備えて構成されている。
【００１２】
高圧出力部２は、制御部９によって出力された出力制御信号Ｓｂに従って例えば最大５ｋＶ程度の試験用電圧Ｖ０を試験対象機器１０に出力する。また、高圧出力部２は、制御部９によって出力された出力停止信号Ｓｃに従って試験用電圧Ｖ０の出力を停止する。電流検出部３は、試験対象機器１０に流れる電流Ｉ０を検出して、その電流値に対応する電流値データＤｉを制御部９に出力する。記憶部４は、試験対象機器１０の耐電圧試験の合否判定に用いられる複数のしきい値Ｄｓを記憶する。この場合、各しきい値Ｄｓは、試験用電圧Ｖ０の電圧値および試験対象機器の種類等に応じて予め規定されている。画像表示部５は、制御部９によって出力される画像データＤｇに基づく各種画像を表示する。
【００１３】
表示部６は、図２に示すように、並列に接続された２つのＬＥＤ６１，６２、抵抗６３、トランジスタ６４、および電圧値が例えば１２Ｖの電圧を生成する電源６５を備えて構成されている。ＬＥＤ６１，６２は、順方向降下電圧値が２ＶのＬＥＤを３個直列に接続して構成されており、順方向降下電圧値がそれぞれ６Ｖとなっている。また、ＬＥＤ６１，６２は、高電位側の接続点Ａにおいて抵抗６３の一方の端子に接続され、かつ低電位側の接続点Ｂにおいてトランジスタ６４のコレクタ端子に接続されている。抵抗６３は、ＬＥＤ６１，６２に流れる電流を制限する機能を有すると共に、ＬＥＤ６１，６２に断線または短絡がない状態での降下電圧値が６Ｖとなるようにその抵抗値が予め規定されている。この場合、抵抗６３の他端は、電源６５の出力端子に接続されている。トランジスタ６４は、制御部９によって出力される後述する点灯信号Ｓｇをベースに入力した際に、オン状態に移行してＬＥＤ６１，６２に電流を流す機能を有している。この場合、トランジスタ６４のエミッタは、電源６５の低電位側の出力端子とグランド電位とに接続されてる。
【００１４】
故障検出部７は、断線検出用のコンパレータ７１、短絡検出用のコンパレータ７２、論理回路７３、断線検出用の電源７４および短絡検出用の電源７５を備え、ウインドコンパレーターとして機能する。コンパレータ７１は、表示部６の接続点Ａにおける検出用電圧Ｖａが非反転入力端子に入力され、かつ電源７４から出力される電圧値が例えば１１Ｖの基準電圧Ｖｄが反転入力端子に入力されて、検出用電圧Ｖａが１１Ｖ以上の電圧値のときに、断線検出信号Ｓｄを出力する。コンパレータ７２は、検出用電圧Ｖａが反転入力端子に入力され、かつ電源７５から出力される電圧値が例えば１Ｖの基準電圧Ｖｔが非反転入力端子に入力されて、検出用電圧Ｖａが１Ｖ以下の電圧値のときに、短絡検出信号Ｓｔを出力する。つまり、コンパレータ７１，７２は、ＬＥＤ６１，６２の断線状態および短絡状態をＬＥＤ６１，６２の両端電圧を監視して検出する。論理回路７３は、論理和回路であって、断線検出信号Ｓｄおよび短絡検出信号Ｓｔのいずれか一方が入力されたときに、故障検出信号Ｓｋを制御部９に出力する。
【００１５】
操作部８は、耐電圧試験を開始するためのスタートボタン、試験用電圧Ｖ０の電圧値を設定するための電圧値設定ボタン、および試験対象機器１０に対する耐電圧試験の合否判定に用いられるしきい値Ｄｓを設定するためのしきい値設定ボタン等の各種ボタンが配設されて構成され、それぞれのボタン操作に対応した操作信号Ｓｓを制御部９に出力する。
【００１６】
制御部９は、操作部８から操作信号Ｓｓが出力されたときに、高圧出力部２に対して、出力制御信号Ｓｂを出力することによって試験用電圧Ｖ０を出力させる。また、制御部９は、試験対象機器１０の耐電圧試験が終了したときに、高圧出力部２に対して、出力停止信号Ｓｃを出力することによって試験用電圧Ｖ０の出力を停止させる。また、制御部９は、操作信号Ｓｓが入力されたときに、点灯信号Ｓｇを表示部６に出力することによって表示部６のＬＥＤ６１，６２に電流を供給して点灯させると共に、故障検出部７からの故障検出信号Ｓｋの出力を監視する。この場合、制御部９は、故障検出部７から故障検出信号Ｓｋが出力されたときには、表示部６が故障状態であると判別して、高圧出力部２に対して、出力停止信号Ｓｃを出力することによって試験用電圧Ｖ０の出力を停止させる。また、制御部９は、故障検出部７から故障検出信号Ｓｋが出力されていないときには、表示部６が故障状態ではないと判別して、出力停止信号Ｓｃを高圧出力部２に出力することなく故障検出信号Ｓｋの監視を継続する。また、制御部９は、出力停止信号Ｓｃを高圧出力部２に出力した後に、点灯信号Ｓｇの出力を停止することによってＬＥＤ６１，６２に対する電流の供給を停止させると共に、故障検出部７からの故障検出信号Ｓｋの出力の監視を終了する。また、制御部９は、電流検出部３によって出力された電流値データＤｉに基づく電流値と、記憶部４から読み出したしきい値Ｄｓとを比較することにより、試験対象機器１０の耐電圧についての合否を判定し、その判定結果を表示させるための画像データＤｇを画像表示部５に出力する。
【００１７】
次に、耐電圧試験器１の動作について、添付図面を参照して説明する。
【００１８】
まず、図１に示すように、電圧印加用プローブＰ１，Ｐ２を試験対象機器に接続する。次に、操作部８の電圧値設定ボタンおよびしきい値Ｄｓ設定ボタンを操作して、耐電圧試験の試験用電圧値および合否判定に用いるしきい値Ｄｓを設定した後に、スタートボタンを操作する。この際に、操作部８が、設定内容に応じた操作信号Ｓｓを制御部９に出力する。続いて、制御部９が、操作信号Ｓｓに従って図３に示す耐電圧判定処理２０を実行する。
【００１９】
この耐電圧判定処理２０では、制御部９は、まず、高圧出力部２に出力制御信号Ｓｂを出力する（ステップ２１）。次いで、高圧出力部２は、入力した出力制御信号Ｓｂに従い、設定された試験用電圧値の試験用電圧Ｖ０を出力する（ステップ２２）。続いて、電流検出部３は、試験対象機器１０を流れる電流Ｉ０を検出して、電流Ｉ０の電流値を示す電流値データＤｉを制御部９に出力する（ステップ２３）。次に、制御部９は、入力した電流値データＤｉから電流Ｉ０の電流値を特定する（ステップ２４）。また、制御部９は、記憶部４に記憶された複数のしきい値Ｄｓの中から、設定されたしきい値Ｄｓを読み出して特定する（ステップ２５）。続いて、制御部９は、電流Ｉ０の電流値としきい値Ｄｓとを比較して、電流値がしきい値Ｄｓ以下のときには、合格を表す表示画像（例えば「合格」の文字）を表示させる画像データＤｇを、画像表示部５に出力する。また、電流値がしきい値Ｄｓよりも大きいときには、不合格を表す表示画像（例えば「不合格」の文字）を表示させる画像データＤｇを、画像表示部５に出力する（ステップ２６）。続いて、画像表示部５は、入力した画像データＤｇに基づく合格または不合格を表す表示画像を表示する（ステップ２７）。その後、制御部９は、出力停止信号Ｓｃを高圧出力部２に出力する（ステップ２８）。続いて、高圧出力部２は、入力した出力停止信号Ｓｃに従って試験用電圧Ｖ０の出力を停止する（ステップ２９）。これにより、耐電圧判定処理２０が終了する。
【００２０】
また、制御部９は、操作信号Ｓｓが操作部から出力されたときに、耐電圧判定処理２０と共に図４に示す故障監視処理３０を実行する。
【００２１】
この故障監視処理３０では、制御部９は、高圧出力部２に出力制御信号Ｓｂを出力するのと同時に、表示部６に点灯信号Ｓｇを出力する（ステップ３１）。次いで、制御部９は、故障検出部７からの故障検出信号Ｓｋの出力有無の監視を開始する（ステップ３２）。この際に、ＬＥＤ６１およびＬＥＤ７２のいずれか１つまたは全てが正常に点灯しているときには、各ＬＥＤ６１，６２による電圧降下が６Ｖのため、接続点Ａの検出用電圧Ｖａは約６Ｖとなる。この状態では、コンパレータ７１，７２が共にロウ電圧を出力する。つまり、コンパレータ７１，７２は、断線検出信号Ｓｄおよび短絡検出信号Ｓｔを出力しない。したがって、論理回路７３も故障検出信号Ｓｋを出力しない。この正常点灯状態のときには、制御部９は出力停止信号Ｓｃを出力することなく、故障検出信号Ｓｋの出力有無の監視を耐電圧判定処理２０において試験用電圧Ｖ０の出力が停止される（ステップ２９）まで継続する（ステップ３３）。
【００２２】
一方、ＬＥＤ６１，６２の両者に断線が生じて点灯していないときには、ＬＥＤ６１，６２による電圧降下が生じないため、接続点Ａの検出用電圧Ｖａが１２Ｖの電圧値となる。この際には、コンパレータ７１が断線検出信号Ｓｄを出力するため、論理回路７３が故障検出信号Ｓｋを出力する。この場合、制御部９は、表示部６が故障状態であると判別して、高圧出力部２に出力停止信号Ｓｃを出力する（ステップ３４）。同様にして、ＬＥＤ６１，６２のいずれか一方に短絡が生じて点灯していないときには、接続点Ａの検出用電圧Ｖａがトランジスタ６４の順方向電圧であるほぼ０．７Ｖの電圧値となる。この際には、コンパレータ７２が短絡検出信号Ｓｔを出力するため、論理回路７３が故障検出信号Ｓｋを出力する。この場合、制御部９は、表示部６が故障状態であると判別して、高圧出力部２に出力停止信号Ｓｃを出力する（ステップ３４）。
【００２３】
次いで、高圧出力部２は、入力した出力停止信号Ｓｃに従って試験用電圧Ｖ０の出力を停止する（ステップ３５）。続いて、制御部９は、点灯信号Ｓｇの出力を停止すると共に故障検出信号Ｓｋの出力有無の監視を終了する（ステップ３６）。以上により、故障監視処理３０が終了する。
【００２４】
このように、この耐電圧試験器１によれば、故障検出部７が、ＬＥＤ６１，６２の故障状態を検出して、その際に、故障検出信号Ｓｋを出力する。また、制御部９が、故障検出信号Ｓｋが出力されたときに、高圧出力部２に対して、出力停止信号Ｓｃを出力することによって試験用電圧Ｖ０の出力を直ちに停止させる。このため、ＬＥＤ６１，６２が故障状態のときには、試験用電圧Ｖ０の出力が直ちに停止されることとなる。したがって、高圧出力部２から高電圧の試験用電圧Ｖ０が出力されているにも拘わらず、表示部６による試験用電圧Ｖ０の出力状態が表示されないという危険な状況を回避することができる結果、試験用電圧Ｖ０の出力に起因する危険状態を確実に回避することができる。
【００２５】
また、この耐電圧試験器１によれば、ＬＥＤ６１，６２で表示部６を構成し、かつ、故障検出部７が、ＬＥＤ６１，６２の両端電圧とほぼ等しい電圧値である検出用電圧Ｖａの電圧値を監視してＬＥＤ６１，６２の断線状態および短絡状態を検出する。このため、表示部６を簡易に構成することができると共にその故障状態を確実かつ簡易に検出することができる。さらに、ＬＥＤを３個直列に接続してＬＥＤ６１，６２をそれぞれ構成すると共に、そのＬＥＤ６１，６２を互いに並列に接続したことにより、ＬＥＤ６１，６２の断線故障に対してフェイルセーフ機能を備えさせることができるため、ＬＥＤ６１，６２の一部のＬＥＤが故障したときであっても、周囲の者に対して危険を喚起する旨を報知することができる。
【００２６】
なお、本発明は、上記の構成に限定されない。例えば、表示部６の構成については、ＬＥＤ６１，６２による構成に限らず，ランプなどを用いて構成することもできる。また、ＬＥＤ６１，６２を構成するＬＥＤの数を１つ、２つまたは４つ以上で構成することもできる。また、コンパレータ７１，７２に設定されたしきい値（基準電圧Ｖｄ，Ｖｔの電圧値）についても、上記の電圧値に限らず、ＬＥＤ６１，６２による電圧降下の電圧値に応じて適宜設定することができる。また、上記の構成では、ＬＥＤ６１，６２の故障状態を検出用電圧Ｖａの電圧値を監視して検出しているが、ＬＥＤ６１，６２を流れる電流の電流値を監視して検出する構成を採用することもできる。さらに、本発明は、耐電圧試験器１に限らず、高電圧を出力する高圧出力部と、高電圧の出力状態を表示する表示部とを備えた各種電子機器に適用可能のことは勿論である。
【図面の簡単な説明】
【００２７】
【図１】耐電圧試験器１の構成を示すブロック図である。
【図２】表示部６および故障検出部７の回路図である。
【図３】耐電圧試験器１の制御部９によって実行される耐電圧判定処理２０のフローチャートである。
【図４】耐電圧試験器１の制御部９によって実行される故障監視処理３０のフローチャートである。
【符号の説明】
【００２８】
１  耐電圧試験器
２  高圧出力部
６  表示部
７  故障検出部
９  制御部
６１  ＬＥＤ
６２  ＬＥＤ
Ｓｂ  出力制御信号
Ｓｃ  出力停止信号
Ｓｄ  断線検出信号
Ｓｋ  故障検出信号
Ｓｔ  短絡検出信号
【図１】
2008045909.tif 000003
【図２】
2008045909.tif 000004
【図３】
2008045909.tif 000005
【図４】
2008045909.tif 000006